(57)【要約】【課題】赤外線センサによる温度検知精度を向上した誘導加熱調理器を提供すること。【解決手段】赤外線センサ１５と増幅手段を同一プリント配線板１７で固定することで配線へのノイズ重畳を低減し、防磁手段２０で加熱コイル１３からの不要輻射の影響をさらに低減できる。また導波管１６により加熱コイル１３など周辺部材からの赤外線放射の影響を受けることなく鍋底の温度を検知することができ、プリント配線板１７を加熱コイル支持台１４に締結することにより、加熱面と赤外線センサ１５の受光面の角度、およびトッププレート１２から赤外線センサ１５までの距離の取り付け誤差を抑制でき、赤外線センサ１５による温度検知精度を向上することができる。【選択図】図１
2005122962.tif 000002
【特許請求の範囲】
【請求項１】
鍋を加熱する加熱コイルと、前記加熱コイルを支持する加熱コイル支持台と、前記鍋からの赤外線を検知する赤外線センサと、前記鍋からの赤外線放射を前記赤外線センサまで導き、かつ前記赤外線センサへのノイズ重畳を抑制する導波管と、前記赤外線センサからの出力を増幅する増幅手段と、前記赤外線センサの出力により前記鍋温度を算出する温度算出手段と、前記温度算出手段からの出力に応じて前記加熱コイルからの加熱出力を制御する制御手段と、前記赤外線センサと前記増幅手段を固定するプリント配線板を備え、前記プリント配線板は前記加熱コイル支持台下部に取り付けられる構成とした誘導加熱調理器。
【請求項２】
増幅手段での増幅度を調整する調整手段を備え、前記調整手段は赤外線センサと前記増幅手段と同一プリント配線板上に配設した請求項１に記載の誘導加熱調理器。
【請求項３】
赤外線センサの近傍温度を検知する温度検知手段と、前記温度検知手段の検知温度に応じて赤外線センサからの出力を補正する補正手段を備えた請求項２に記載の誘導加熱調理器。
【請求項４】
導波管は二重の円筒形状に構成した請求項１〜３のいずれか１項に記載の誘導加熱調理器。
【請求項５】
赤外線センサと導波管の少なくとも一方をプリント配線板上で保持するための保持手段を備えた請求項１〜４のいずれか１項に記載の誘導加熱調理器。
【請求項６】
加熱コイルからプリント配線板への不要輻射を抑制する防磁手段を備え、前記防磁手段の上面は導波管の上面より低くした請求項１〜５のいずれか１項に記載の誘導加熱調理器。
【請求項７】
防磁手段の外周をプリント配線板側に曲げた請求項６に記載の誘導加熱調理器。
【請求項８】
防磁手段の下端がプリント配線板下面より下方となるようにした請求項７に記載の誘導加熱調理器。
【請求項９】
導波管と防磁手段を一体構成とした請求項６〜８のいずれか１項に記載の誘導加熱調理器。
【請求項１０】
防磁手段と加熱コイル支持台とプリント配線板をねじで共締めする請求項９に記載の誘導加熱調理器。
【請求項１１】
防磁手段は調整手段の近傍部分に切り欠きを設けた請求項９または１０に記載の誘導加熱調理器。
【発明の詳細な説明】
【技術分野】
【０００１】
本発明は、赤外線センサを用いた誘導加熱調理器に関するものである。
【背景技術】
【０００２】
従来の誘導加熱調理器は、鍋を載置するトッププレートにサーミスタなどの感温素子を接触させて、鍋の温度を検知していた。
【０００３】
また、鍋の温度検知の応答性を向上させるために、鍋から出力される赤外線強度を赤外線センサで検知することにより、鍋の温度を検知していた（例えば、特許文献１参照）。
【０００４】
以下、従来構成の誘導加熱調理器について図８を参照して説明する。図において４１は負荷鍋、４２は負荷鍋４１を載置するトッププレート、４３は負荷鍋４１を加熱する加熱コイル、４４は負荷鍋４１からの赤外線強度を検知する赤外線センサ、４５は赤外線センサ４４を固定する固定板、４６は赤外線センサ４４からの出力を増幅する増幅手段、４７は赤外線センサ４４からの出力に応じて加熱コイル４３への電流供給を制御する制御手段である。
【０００５】
以上のように構成された誘導加熱調理器では、負荷鍋４１の温度を鍋底から放射される赤外線で直接検知していたので、熱応答性に優れた温度検知を行うことが可能であった。
【特許文献１】特公平４−３９１９７号公報
【発明の開示】
【発明が解決しようとする課題】
【０００６】
しかしながら前記従来の構成では、赤外線センサ４４は加熱コイル４３の隙間より負荷鍋４１からの赤外線放射を検知していたので、加熱コイル４３などの周辺部材の温度影響を受けやすいという課題があった。
【０００７】
また、赤外線センサ４４が傾いた状態で取り付けられると、鍋底の温度検知部分の中心がずれて温度分布の異なる部分の温度を測定してしまう場合や、鍋底以外からの赤外線放射の影響をさらに受けるなどで、正確な温度検知ができなくなるという課題があった。
【０００８】
また、トッププレート４２から赤外線センサ４４までの距離にばらつきが発生するため、負荷鍋４１から赤外線センサ４４に入射される赤外線強度がばらついて、正確な温度検知ができなくなるという課題があった。
【０００９】
また、負荷鍋４１から赤外線センサ４４に入射される赤外線強度を高めるために赤外線センサ４４を加熱コイル４３に近づけると、加熱コイル４３からの輻射ノイズの影響を受けて、正確な温度検知ができなくなるという課題があった。
【００１０】
本発明は上記課題を解決するもので、鍋からの赤外線放射を安定して検知するとともに、加熱コイルからの不要輻射よる赤外線検知の影響を低減することで、赤外線センサによる温度検知精度を向上した誘導加熱調理器を提供することを目的とする。
【課題を解決するための手段】
【００１１】
前記従来の課題を解決するために、本発明の誘導加熱調理器は、加熱コイルを支持する加熱コイル支持台と、鍋からの赤外線放射を検知する赤外線センサと、前記鍋からの赤外線放射を前記赤外線センサまで導き、かつ前記赤外線センサへのノイズ重畳を抑制する導波管と、前記赤外線センサからの出力を増幅する増幅手段と、前記赤外線センサと前記増幅手段を固定するプリント配線板を備え、前記プリント配線板は前記加熱コイル支持台下部に取り付けられる構成とするものである。
【００１２】
これにより、導波管が鍋からの赤外線放射を赤外線センサに導くので、加熱コイルなど周辺部材からの赤外線放射の影響を受けることなく鍋底の温度を検知することができるとともに、導波管により加熱コイルから赤外線センサへの不要輻射を抑制することができ、さらに赤外線センサと増幅手段を同一プリント配線板上に固定することで、赤外線センサから増幅手段までの配線へのノイズの重畳を低減することができるので、赤外線センサによる温度検知精度を向上することができる。
【００１３】
また、プリント配線板を加熱コイル支持台下部に取り付けることにより、加熱面と赤外線センサの受光面の角度ばらつき、およびトッププレートから赤外線センサまでの距離のばらつきを抑制することができ、赤外線センサによる温度検知精度を向上することができる。
【発明の効果】
【００１４】
本発明の誘導加熱調理器は、赤外線センサと増幅手段を防磁手段にて覆われたプリント配線板に固定することで加熱コイルからの不要輻射による影響を低減するとともに、導波管で鍋からの赤外線放射を赤外線センサに導き、かつ赤外線センサが固定されたプリント配線板を加熱コイル支持台に締結して赤外線センサの取り付け精度を向上しているので鍋からの赤外線放射を安定して検知でき、赤外線センサによる温度検知精度を向上することができる。
【発明を実施するための最良の形態】
【００１５】
第１の発明は、鍋を加熱する加熱コイルと、前記加熱コイルを支持する加熱コイル支持台と、前記鍋からの赤外線を検知する赤外線センサと、前記鍋からの赤外線放射を前記赤外線センサまで導き、かつ前記赤外線センサへのノイズ重畳を抑制する導波管と、前記赤外線センサからの出力を増幅する増幅手段と、前記赤外線センサの出力により前記鍋温度を算出する温度算出手段と、前記温度算出手段からの出力に応じて前記加熱コイルからの加熱出力を制御する制御手段と、前記赤外線センサと前記増幅手段を固定するプリント配線板とを備え、前記プリント配線板は、前記加熱コイル支持台下部に取り付けることにより、鍋からの赤外線放射を導波管により鍋底近傍から赤外線センサに導かれ、加熱コイルなど周辺部材からの赤外線放射の影響を受けることなく鍋底の温度を検知することができるとともに、導波管により加熱コイルから赤外線センサへの不要輻射を抑制することができる。さらに赤外線センサと増幅手段を同一プリント配線板上に固定することで、赤外線センサから増幅手段までの配線へのノイズの重畳を低減でき、赤外線センサによる温度検知精度を向上させることができる。
【００１６】
また、プリント配線板を加熱コイル支持台下部に取り付けることにより、加熱面と赤外線センサの受光面の角度ばらつき、およびトッププレートから赤外線センサまでの距離のばらつきが抑制され、赤外線センサによる温度検知精度を向上することができる。
【００１７】
第２の発明は、特に、第１の発明を増幅手段での増幅度を調整する調整手段を備え、前記調整手段は赤外線センサと前記増幅手段と同一プリント配線板上に配設される構成とすることにより、赤外線センサの感度ばらつき、および増幅手段の増幅度のばらつきを抑制することができ、赤外線センサを交換する場合にはプリント配線板を交換することで常に調整手段によりばらつきを低減した状態で機器に組み込むことができ、修理やサービスの祭の部品交換を行ない一方で検知精度の再調整を不要としても赤外線センサによる温度検知精度を維持することができる。
【００１８】
第３の発明は、特に、第２の発明を赤外線センサの近傍温度を検知する温度検知手段と、前記温度検知手段の検知温度に応じて赤外線センサからの出力を補正する補正手段を備えた構成とすることにより、赤外線センサの温度特性を低減することができ、さらに調整手段にて調整時の周囲温度による影響も補正した状態で調整することができる。
【００１９】
第４の発明は、特に、第１〜３いずれかの発明を導波管は二重の円筒形状に構成することにより、加熱コイルから赤外線センサへの不要輻射をより一層低減することができる。
【００２０】
また、不要輻射による導波管の発熱は二重円筒構成の外側の円筒部分で発熱するので、赤外線センサに近い内側の円筒部分での発熱を抑制することができ、かつ外側の円筒と内側の円筒の間に空間があり外側の円筒部分での自己発熱分が内側に熱伝達しにくい構成であるので、赤外線センサの周囲温度による影響を低減して赤外線センサの温度検知精度を向上することができる。
【００２１】
第５の発明は、特に、第１〜４いずれかの発明を赤外線センサと導波管の少なくとも一方をプリント配線板上で保持するための保持手段を備えた構成とすることにより、鍋底の温度検知部分のばらつきを低減し赤外線センサの温度検知精度を向上することができる。
【００２２】
第６の発明は、特に、第１〜５いずれかの発明を加熱コイルからプリント配線板への不要輻射を抑制する防磁手段を備え、前記防磁手段の上面は導波管の上面より低く構成することにより、加熱コイルからプリント配線板上の部品およびパターンに重畳されるノイズを低減することができ、かつ防磁手段が赤外線検知するための加熱コイルの隙間より大きい場合でも、導波管の上端を負荷鍋に近づけた状態で鍋底近傍から赤外線センサまで赤外線放射を導くことができ、赤外線センサの温度検知精度を向上することができる。
【００２３】
第７の発明は、特に、第６の発明を防磁手段の外周をプリント配線板側に曲げた構成とすることにより、加熱コイルのプリント配線板より外側部分からプリント配線板上の部品およびパターンに重畳されるノイズを低減でき、赤外線センサの温度検知精度が向上する。
【００２４】
第８の発明は、特に、第７の発明を防磁手段の下端がプリント配線板下面より下方となる構成とすることにより、プリント配線板の赤外線センサと反対側の面の部品およびパターンに重畳されるノイズをより低減することができ、また防磁手段の内側にプリント配線板が勘合する構成となるので、プリント配線板と防磁手段との配置ばらつきを低減することができ、赤外線センサの温度検知精度を向上することができる。
【００２５】
第９の発明は、特に、第６〜８いずれかの発明を導波管と防磁手段を一体にて構成することにより、加熱コイルからプリント配線板上の部品およびパターンへのノイズ重畳をさらに低減することができ、簡単な構成で赤外線センサの温度検知精度を向上することができる。
【００２６】
第１０の発明は、特に、第９の発明を防磁手段と加熱コイル支持台とプリント配線板を共締めできる構成とすることにより、プリント配線板上方に防磁手段を設けた構成でも、加熱面と赤外線センサの受光面角度や、導波管の傾き角度ばらつき、およびトッププレートから赤外線センサまでの距離のばらつきを抑制することができ、赤外線センサによる温度検知精度を向上することができる。
【００２７】
第１１の発明は、特に第９または１０いずれかの発明を防磁手段は調整手段の近傍部分に切り欠きを設けた構成とすることにより、導波管および防磁手段を取り付けた状態で調整することができるので導波管の反射率ばらつきを低減することができ、赤外線センサによる温度検知精度を向上することができる。
【００２８】
以下、本発明の実施の形態について、図面を参照しながら説明する。なお、この実施の形態によって本発明が限定されるものではない。
【００２９】
（実施の形態１）
図１は、本発明の第１の実施の形態における断面図を示すものである。
【００３０】
図１において、１１は負荷鍋、１２は負荷鍋１１を載置するトッププレート、１３は負荷鍋１１を加熱する加熱コイル、１４は加熱コイル１３を支持する加熱コイル支持台、１５は負荷鍋１１からの赤外線放射を検出する赤外線センサで量子型のセンサが使用されている。１６は負荷鍋１１からの赤外線を赤外線センサ１５に導く導波管で、反射率の高い金属材の円筒で構成されている。１７は赤外線センサ１５を固定するプリント配線板で、ねじ１８にて加熱コイル支持台１４に締結されている。１９は赤外線センサ１５および導波管１６を保持する保持手段で、保持手段１９はプリント配線板１７に固定されている。２０は加熱コイル１３からプリント配線板１７へのノイズを防磁する防磁手段で、金属材にて構成されている。
【００３１】
図２は、本発明の第１の実施の形態におけるブロック図を示すものである。
【００３２】
図２において、２１は赤外線センサ１５からの出力を増幅する増幅手段でオペアンプと抵抗から構成され、さらに可変抵抗からなる調整手段２２を含んでいる。２３は赤外線センサ１５からの出力により鍋底の温度を算出する温度算出手段、２４は温度算出手段２３からの信号により加熱コイル１３の高周波電流を制御する制御手段、２５は赤外線センサ１５近傍の温度を検知する温度検知手段でサーミスタで構成されプリント配線板１７に固定されている。２６は温度検知手段２５からの出力に応じて赤外線センサ１５からの出力を補正する補正手段で、温度算出手段２３、制御手段２４、補正手段２７はマイクロコンピュータにて構成されている。
【００３３】
以上のように構成された誘導加熱調理器についてその動作を説明する。
【００３４】
加熱コイル１３に高周波電流が供給されると、加熱コイル１３上方に載置された負荷鍋１１が加熱される。負荷鍋１１の鍋底からは鍋の温度に応じた赤外線が放射されており、負荷鍋１１から発した赤外線はトッププレート１２を透過して赤外線センサ１５に入力される。負荷鍋１１と赤外線センサ１５の間には導波管１６を介しているので、赤外線センサ１５は加熱コイル１３や加熱コイル支持台１４からの赤外線放射の影響を受けることなく、負荷鍋１１からの赤外線放射を検知することができる。
【００３５】
赤外線センサ１５は保持手段１９を介してプリント配線板１７に固定されており、プリント配線板１７は加熱コイル支持台１４の下側支柱部分に固定され、加熱コイル支持台１４は上面をトッププレート１２に当てる構成としているので、トッププレート１２から加熱コイル１３および赤外線センサ１５までの距離、およびトッププレート１２と赤外線センサ１５の角度の取り付け誤差は非常に小さく、赤外線センサ１５は負荷鍋１１のａ部を中心とした負荷鍋１１からの赤外線放射を一定間隔離れた位置で検知する。
【００３６】
赤外線センサ１５からの出力信号は微少信号であるため増幅手段２１にて信号増幅される。赤外線センサ１５、増幅手段２１および調整手段２２は配線へのノイズ重畳を抑制するため同一のプリント配線板１７上に固定されている。調整手段２２は、赤外線センサ１５の感度ばらつき、および増幅手段２１での増幅度ばらつきを吸収して、負荷鍋１１が所定温度で所定の出力が得られるように調整しており、プリント配線板１７に載置された部品で赤外線検知のユニットが構成される。
【００３７】
プリント配線板１７は加熱コイル支持台１４に取り付けられており加熱コイル１３との距離が近く、加熱コイル１３からの不要輻射による影響を受けやすいので、プリント配線板１７上部に防磁手段２０を配置し、加熱コイル１３からの不要輻射成分は赤外線センサ１５周囲を覆う導波管１６と防磁手段２０にて吸収される構成としている。
【００３８】
ここで導波管１６の形状を、図３に示すように２重の円筒形状にて構成すると、加熱コイル１３からの不要輻射を導波管１６の外管部１６ａと内管部１６ｂにて吸収し、赤外線センサ１５への防磁効果はより高くなる。さらに、加熱コイル１３からの不要輻射の大半は外管部１６ａで吸収され外管部１６ａのみが自己発熱により温度上昇し、内管部１６ｂは自己発熱も小さく外管部１６ａからの熱伝達もされにくいので、赤外線センサ１５の加熱コイル１３不要輻射による温度上昇は小さくなる。
【００３９】
また、防磁手段２０の形状は、図４に示すように外周をプリント配線板１７側に曲げた構成にすると、加熱コイル１３外周部からプリント配線板１７側面方向に侵入する不要輻射成分を吸収でき、図５に示すように、防磁手段２０の下端をプリント配線板１７の下面より下側になるように構成すると、さらにプリント配線板１７側面下方に侵入する不要輻射成分を吸収できる。さらに図５に示す構成では、プリント配線板１７が防磁手段２０内に収まる形状となっており、プリント配線板１７と防磁手段２０の取り付け誤差は非常に小さいものになる。
【００４０】
前記増幅手段２１にて増幅された赤外線センサ１５の出力信号は温度算出手段２３に入力される。この時、赤外線センサ１５の近傍温度は温度検知手段２５にて検知されており、赤外線センサ１５の温度特性を考慮した補正値が補正手段２６より出力される。赤外線センサ１５での検知出力と補正手段２６の出力より温度算出手段２３は負荷鍋１１の温度を算出し、設定された加熱状態となるように制御手段２４は加熱コイル１３に流れる電流を制御する。
【００４１】
調整手段２２にて調整する場合においても、温度検知手段２５にて赤外線センサ１５近傍の温度が検知され、補正手段２６で温度補正した状態で調整が行われる。
【００４２】
以上のように、本実施の形態においては導波管にて導かれた赤外線放射を検知する赤外線センサと増幅手段をプリント配線板にて固定し、プリント配線板を加熱コイル支持台下部に取り付けられる構成としたことにより、鍋からの赤外線放射を導波管により鍋底近傍から赤外線センサに導くので、加熱コイルなど周辺部材からの赤外線放射の影響を受けることなく鍋底の温度を検知することができるとともに、導波管により加熱コイルから赤外線センサへの不要輻射を抑制することができ、さらに赤外線センサと増幅手段を同一プリント配線板上に固定することで、赤外線センサから増幅手段までの配線へのノイズの重畳を低減でき、赤外線センサによる温度検知精度を向上することができる。
【００４３】
また、プリント配線板を加熱コイル支持台下部に取り付けることにより、加熱面と赤外線センサの受光面の角度ばらつき、およびトッププレートから赤外線センサまでの距離のばらつきを抑制することができ、赤外線センサによる温度検知精度を向上することができる。
【００４４】
また、調整手段にて増幅度を調整可能とし、調整手段と赤外線センサと増幅手段を同一プリント配線板上に固定する構成としたことにより、赤外線センサの感度ばらつき、および増幅手段の増幅度のばらつきを抑制することができ、赤外線センサを交換する場合にはプリント配線板ごと交換することで常に調整手段によりばらつきを低減した状態で機器に組み込むことができ、修理やサービスの祭に現場にて検出精度の再調整をしなくても赤外線センサによる温度検知精度を維持することができる。
【００４５】
また、温度検知手段にて赤外線センサ近傍温度を検知し、補正手段にて赤外線センサからの出力を補正する構成としたことにより、赤外線センサの温度特性を低減することができ、さらに調整手段にて調整時の周囲温度による影響も補正した状態で調整することができる。
【００４６】
また、導波管を二重の円筒形状に構成したことにより、加熱コイルから赤外線センサへの不要輻射をより一層低減することができ、さらに赤外線センサに近い内側の円筒部分での発熱を抑制し、外側の円筒部分での自己発熱分が内側に熱伝達しにくくしているので、赤外線センサの周囲温度による影響を低減して赤外線センサの温度検知精度を向上することができる。
【００４７】
また、保持手段にて赤外線センサと導波管の少なくとも一方をプリント配線板上で保持する構成としたことにより、鍋底の温度検知部分のばらつきを低減し赤外線センサの温度検知精度を向上することができる。
【００４８】
また、防磁手段を設けて防磁手段の上面を導波管の上面より低く構成したことにより、加熱コイルからプリント配線板上の部品およびパターンに重畳されるノイズを低減することができ、かつ防磁手段が赤外線検知するための加熱コイルの隙間より大きい場合でも、導波管の上端を負荷鍋に近づけた状態で鍋底近傍から赤外線センサまで赤外線放射を導くことができ、赤外線センサの温度検知精度を向上することができる。
【００４９】
また、防磁手段の外周をプリント配線板側に曲げた構成としたことにより、加熱コイルのプリント配線板より外側部分からプリント配線板上の部品およびパターンに重畳されるノイズを低減でき、赤外線センサの温度検知精度を向上することができる。
【００５０】
また、防磁手段の下端をプリント配線板下面より下方に配置する構成とすることにより、プリント配線板の赤外線センサと反対側の面の部品およびパターンに重畳されるノイズをより低減することができ、また防磁手段の内側にプリント配線板が勘合する構成となるので、プリント配線板と防磁手段との配置ばらつきを低減することができ、赤外線センサの温度検知精度を向上することができる。
【００５１】
また、本実施の形態の加熱コイル支持台をトッププレートに当てない構成としても、トッププレートと加熱コイル距離および角度が一定となるように構成しておれば、加熱面と赤外線センサの受光面の角度ばらつき、およびトッププレートから赤外線センサまでの距離のばらつきを抑制することができ、赤外線センサによる温度検知精度を向上することができる。
【００５２】
また、本実施の形態の赤外線センサを量子型ではなくサーモパイルなどの焦電型の素子を用いても同様の効果が得られる。
【００５３】
（実施の形態２）
図６は、本発明の第２の実施の形態における断面図を示すものである。
【００５４】
図６において、第１の実施の形態と異なる点は、導波管１６と防磁手段２０は一体で構成され、防磁手段２０の円筒部内面にて導波管１６を形成する点と、プリント配線板１７と防磁手段２０をねじ１８にて加熱コイル支持台に締結される構成とした点である。
【００５５】
以上のように構成された誘導加熱調理器についてその動作を説明する。
【００５６】
防磁手段２０は導波管１６と一体で構成されており、赤外線センサ１５の受光面以外を完全に防磁できる構成となっている。また、プリント配線板１７は防磁手段２０内に収まる形状となっており、防磁手段２０にプリント配線板１７をセットしてねじ１８で加熱コイル支持台１４に取り付けられ、組立時の部品点数が少なく簡易に組み立てることができる。また、防磁手段２０をプリント配線板１７と共締めできる構成であるので、防磁手段２０の固定が安定し、トッププレート１２と赤外線センサ１５の角度や距離の取り付け誤差、および導波管１６の傾き誤差も低減する。
【００５７】
防磁手段２０にてプリント配線板１７を覆う形状にすると、防磁手段２０を取り付けた状態で調整手段２２による調整がしにくくなるが、図７に示すように防磁手段２０の調整手段２２近傍部分に切り欠き部２８を設けると、切り欠き部２８からドライバーなどを挿入することができ、赤外線センサ１５の感度、増幅手段２１の増幅度および導波管１６の反射率のばらつきを吸収するように、調整手段２２にて調整することができる。
【００５８】
以上のように、本実施の形態においては導波管と防磁手段を一体にて構成することにより、加熱コイルからプリント配線板上の部品およびパターンへのノイズ重畳をさらに低減することができ、簡単な構成で赤外線センサの温度検知精度を向上することができる。
【００５９】
また、防磁手段と加熱コイル支持台とプリント配線板を共締めできる構成とすることにより、プリント配線板上方に防磁手段を設けた構成でも、加熱面と赤外線センサの受光面角度や導波管の傾き角度ばらつき、およびトッププレートから赤外線センサまでの距離のばらつきを抑制することができ、赤外線センサによる温度検知精度を向上することができる。
【００６０】
また、防磁手段は調整手段の近傍部分に切り欠きを設けた構成とすることにより、導波管および防磁手段を取り付けた状態で調整することができるので導波管の反射率ばらつきを低減することができ、赤外線センサによる温度検知精度を向上することができる。
【産業上の利用可能性】
【００６１】
以上のように、本発明にかかる誘導加熱調理器は、加熱コイルからの不要輻射による赤外線検知への影響を低減するとともに、導波管で鍋からの赤外線放射を赤外線センサに導き、かつ赤外線センサの取り付け精度を向上して鍋からの赤外線放射を安定して検知することで、赤外線センサによる温度検知精度を向上することができ、湯沸かしや炊飯、焼き物といった自動調理における調理性能を向上した調理器を提供することが可能となる。
【図面の簡単な説明】
【００６２】
【図１】本発明の実施の形態１における誘導加熱調理器の断面を示す図
【図２】本発明の実施の形態１における誘導加熱調理器を示すブロック図
【図３】本発明の実施の形態１における誘導加熱調理器の導波管を示す図
【図４】本発明の実施の形態１における誘導加熱調理器の断面を示す図
【図５】本発明の実施の形態１における誘導加熱調理器の断面を示す図
【図６】本発明の実施の形態２における誘導加熱調理器の断面を示す図
【図７】本発明の実施の形態２における誘導加熱調理器の防磁手段を示す図
【図８】従来の誘導加熱調理器の断面を示す図
【符号の説明】
【００６３】
１３  加熱コイル
１４  加熱コイル支持台
１５  赤外線センサ
１６  導波管
１７  プリント配線板
１９  保持手段
２０  防磁手段
２１  増幅手段
２２  調整手段
２３  温度算出手段
２４  制御手段
２５  温度検知手段
２６  補正手段
【図１】
2005122962.tif 000003
【図２】
2005122962.tif 000004
【図３】
2005122962.tif 000005
【図４】
2005122962.tif 000006
【図５】
2005122962.tif 000007
【図６】
2005122962.tif 000008
【図７】
2005122962.tif 000009
【図８】
2005122962.tif 000010